(57)【要約】【課題】音声情報を記録／再生するための部品を表面シートに挟み込んだ場合に生じる段差を軽減する。【解決手段】音声情報記録／再生部２０を構成するコイン電池３１、ＩＣ基板３２、スイッチ３３及び音声情報出力部４０を、支持シート２０ａ，２０ｂに形成された穴部２１〜２４によって固定し、さらに、厚さが最も厚いコイン電池３１の周囲においては、支持シート２０ｂに貼着されていた剥離紙５０を支持シート２０ｂに貼着したまま残存させ、それにより、この部分の支持シート２０ａ，２０ｂの厚さが、支持シート２０ａ，２０ｂの他の領域の厚さよりも厚くなる段差構造を形成する。【選択図】図１
2008070436.tif 000002
【特許請求の範囲】
【請求項１】
複数の部品によって構成され、音声情報の記録及び再生が可能な音声情報記録／再生手段と、前記複数の部品を固定するための支持シートと、前記複数の部品を固定した前記支持シートを表裏から挟み込んで該支持シートと貼着された表面シートとを有してなる音声メッセージ伝達シートにおいて、
前記支持シートは、前記複数の部品のうち、少なくとも一部の部品の周囲の領域が、当該支持シートの他の領域よりも厚さが厚くなる段差構造を有することを特徴とする音声メッセージ伝達シート。
【発明の詳細な説明】
【技術分野】
【０００１】
本発明は、記録された音声情報を出力可能な音声メッセージ伝達シートに関し、特に、表面の平坦性向上の技術に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。
【０００３】
送付物の発送先においては、送付されてきた送付物が受け取られた後、送付物に印刷された情報が閲覧されることにより、送付物の発送元にて通知したい情報が認識されることになる。
【０００４】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを視覚的にしか発送先に伝達することができず、それにより、伝達可能な情報の種類が限定されてしまう。
【０００５】
そこで、音声情報を記録／再生可能に構成された音声メッセージカードが、特許文献１に開示されている。
【０００６】
図５は、従来の音声メッセージカードの一構成例を示す図であり、（ａ）は内部構造を示す図、（ｂ）は（ａ）に示したＡ−Ａ’断面図である。
【０００７】
本従来例は図５に示すように、電池１３１、制御回路１３２及びスイッチ１３３が搭載されたフレキシブル基板１３４と、このフレキシブル基板１３４に接続されたスピーカ１４０とからなる音声発生ユニット１３０が補強板１２０に支持されてカード基材１１０に挟み込まれて構成されている。
【０００８】
上記のように構成された音声メッセージカードにおいては、外部からスイッチ１３３が操作されると、制御回路１３２に記録された音声メッセージがスピーカ１４０を介して出力されることになり、それにより、この音声メッセージカードの発送元から発送先に音声によるメッセージを伝達することができる。また、カード基材１１０の表面に情報を印字することにより、視覚的にも所望の情報を伝達することができる。
【特許文献１】特開平５−２９０５９４号公報
【発明の開示】
【発明が解決しようとする課題】
【０００９】
上述した音声メッセージカードにおいては、音声情報を記録／再生するための音声発生ユニットがカード基材に挟み込まれて構成されているため、音声発生ユニットを構成する部品の厚さによってその表面に凹凸が生じる。そのため、例えば、電池のようにある程度の厚さを有する部品においては、部品が配置された領域とその周辺部分とで厚さが大きく異なることになり、音声メッセージカードの表面において、その部品の外形に沿って大きな段差が生じてしまい、外観を損ねてしまうとともに、プリンタにて表面に情報を印字する際、段差部分がひっかかり印字不良が生じてしまう虞れがある。
【００１０】
本発明は、上述したような従来の技術が有する問題点に鑑みてなされたものであって、音声情報を記録／再生するための部品を表面シートに挟み込んだ場合に生じる段差を軽減することができる音声メッセージ伝達シートを提供することを目的とする。
【課題を解決するための手段】
【００１１】
上記目的を達成するために本発明は、
複数の部品によって構成され、音声情報の記録及び再生が可能な音声情報記録／再生手段と、前記複数の部品を固定するための支持シートと、前記複数の部品を固定した前記支持シートを表裏から挟み込んで該支持シートと貼着された表面シートとを有してなる音声メッセージ伝達シートにおいて、
前記支持シートは、前記複数の部品のうち、少なくとも一部の部品の周囲の領域が、当該支持シートの他の領域よりも厚さが厚くなる段差構造を有することを特徴とする。
【００１２】
上記のように構成された本発明においては、音声情報の記録及び再生が可能な音声情報記録／再生手段を構成する複数の部品が支持シートによって固定され、この支持シートが表面シートに挟み込まれて支持シートと表面シートとが互いに貼着されている。ここで、音声情報記録／再生手段を構成する複数の部品によっては、厚さが厚い部品が存在することになるが、支持シートが、複数の部品のうち少なくとも一部の部品の周囲の領域が、支持シートの他の領域よりも厚さが厚くなる段差構造を有するものであるので、厚さが厚い部品が存在する場合でも、その部品の周囲に段差構造を設ければ、部品が挟み込まれた領域からその周辺の領域に渡る表面がなだらかとなり、段差が軽減される。
【００１３】
また、支持シートの、段差構造を構成する部品の周囲の領域のみ、非貼着加工を施しておけば、支持シートのその領域が表面シートと貼着されず、表面シートの表面がさらになだらかになる。
【発明の効果】
【００１４】
以上説明したように本発明においては、音声情報の記録及び再生が可能な音声情報記録／再生手段を構成する複数の部品を固定するための支持シートが、複数の部品のうち、少なくとも一部の部品の周囲の領域が、支持シートの他の領域よりも厚さが厚くなる段差構造を有する構成であるため、厚さが厚い部品が存在する場合でも、その部品の周囲に段差構造を設ければ、部品が挟み込まれた領域からその周辺の領域に渡る表面がなだらかとなり、段差を軽減することができる。
【発明を実施するための最良の形態】
【００１５】
以下に、本発明の実施の形態について図面を参照して説明する。
【００１６】
図１は、本発明の音声メッセージ伝達シートの実施の一形態を示す図であり、（ａ）は一方の面から見た図、（ｂ）は他方の面から見た図、（ｃ）は内部構造を示す図、（ｄ）は（ｂ）に示したＡ−Ａ’断面図である。また、図２は、図１に示した音声メッセージ伝達シートの積層状態を示す図である。
【００１７】
本形態は図１及び図２に示すように、音声情報の記録及び再生が可能な音声情報記録／再生部３０が、紙基材等の柔軟性を有し、かつ薄型の基材からなる２枚の支持シート２０ａ，２０ｂによってその配置位置が固定され、また、音声情報記録／再生部３０を固定した支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟み込まれて構成されている。なお、表面シート１０ａ，１０ｂ、支持シート２０ａ，２０ｂ及び音声情報記録／再生部３０は、支持シート２０ａ，２０ｂの表裏に施された貼着加工によって互いに貼着されている。この貼着加工は、支持シート２０ａ，２０ｂの表裏にそれぞれ塗布された粘着剤によるものであり、支持シート２０ａ，２０ｂは、両面に粘着剤によって剥離紙が剥離可能に貼着されたシートから作成される。
【００１８】
音声情報記録／再生部３０は、ピエゾ素子４１、振動板４２及びフィルムシート（不図示）からシート状に構成されて音声情報を出力するための音声情報出力部４０と、外部から入力された音声情報が記録されるメモリ領域を具備するＩＣ基板３２と、ＩＣ基板３２に記録された音声情報を音声情報出力部４０から出力する際に操作するための薄型のスイッチ３３と、ＩＣ基板３２に接続され、ＩＣ基板３２に電源を供給するための薄型のコイン電池３１とから構成されている。なお、ＩＣ基板３２と、コイン電池３１、スイッチ３３及びピエゾ素子４１とはそれぞれ、はんだ溶接されたリード線３４ａ〜３４ｃを介して互いに電気的に接続されている。
【００１９】
２枚の表面シート１０ａ，１０ｂのうち、スイッチ３３の操作側となる表面シート１０ｂは、図１（ｂ）に示すように、スイッチ３３と対向する領域に、スイッチ３３を押下するための再生ボタン１３が印刷され、また、音声情報出力部４０と対向する領域に、音声情報出力部４０から出力された音声を外部に出力するための微細な穴が羅列されてなる音声出力領域１４が形成されている。このように微細な穴が羅列されてなる音声出力領域１４が形成されているため、音声情報出力部４０が表裏を表面シート１０ａ，１０ｂで覆われた状態であっても、音声情報出力部４０から出力される音量の低下を補うことができる。なお、音声出力領域１４においては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。また、再生ボタン１３においては、印刷によって表面シート１０ｂ上に設けておかず、表面シート１０ｂに情報が印刷された後に、スイッチ３３に対向する領域にシールを貼付することによって設けることも考えられる。また、表面シート１０ｂには、この音声メッセージ伝達シートの発送元から発送先に通知すべき情報を印字あるいは記入するための通知情報表示領域１２が設けられている。
【００２０】
また、スイッチ３３の操作側とは反対側となる表面シート１０ａには、図１（ａ）に示すように、この音声メッセージ伝達シートの発送先の住所や氏名等の宛先情報を印字あるいは記入するための宛先情報表示領域１１が設けられている。この宛先情報表示領域１１に印字あるいは記入された宛先情報に従って音声メッセージ伝達シートが発送先に送付される。
【００２１】
また、２枚の支持シート２０ａ，２０ｂのうち、表面シート１０ｂに貼着される支持シート２０ｂには、図２に示すように、音声情報記録／再生部３０のコイン電池３１、ＩＣ基板３２、スイッチ３３及び音声情報出力部４０と対向する領域に、コイン電池３１と対向する領域と、ＩＣ基板３２と対向する領域と、スイッチ３３と対向する領域と、音声情報出力部４０と対向する領域とに渡って、コイン電池３１、ＩＣ基板３２、スイッチ３３及び音声情報出力部４０を内部に含むような大きさ及び形状を有し、コイン電池３１、ＩＣ基板３２、スイッチ３３及び音声情報出力部４０が内部に入り込むことによりこれらの部品を固定するための１つの穴部２１が設けられている。また、コイン電池３１の周囲においては、支持シート２０ｂに貼着されていた剥離紙５０が支持シート２０ｂに貼着されたまま残存しており、それにより、この部分の支持シート２０ａ，２０ｂの厚さが、支持シート２０ａ，２０ｂの他の領域の厚さよりも厚くなる段差構造が形成されている。
【００２２】
また、表面シート１０ａに貼着される支持シート２０ａには、図２に示すように、音声情報記録／再生部３０のコイン電池３１及びＩＣ基板３２と対向する領域に、それぞれ、コイン電池３１及びＩＣ基板３２を内部に含むような大きさ及び形状を有し、コイン電池３１及びＩＣ基板３２が内部に入り込むことによりこれらの部品を固定するための穴部２２，２３が設けられており、また、音声情報出力部４０と対向する領域に音声情報出力部４０よりも小さな穴部２４が設けられている。
【００２３】
上記のように構成された音声メッセージ伝達シートを製造する場合は、上述したように、支持シート２０ａ，２０ｂとして、シート基材の両面に粘着剤が塗布され、この粘着剤によって剥離紙が剥離可能に貼着されたシートを用いる。そして、支持シート２０ａ，２０ｂにそれぞれ上述したような穴部２１〜２４を形成するとともに、支持シート２０ｂの穴部２１の周囲の領域のうち、表面シート１０ｂに貼着される側の面についてコイン電池３１の周囲となる領域の剥離紙にハーフカット加工を施した後、剥離紙を支持シート２０ａ，２０ｂから剥離する。すると、支持シート２０ａ，２０ｂに貼着されていた剥離紙のうち、支持シート２０ｂの表面シート１０ｂに貼着される側の面のコイン電池３１の周囲の領域のみが支持シート２０ａに貼着されたまま残存し、その他の領域が全て剥離し、支持シート２０ａ，２０ｂの両面に塗布された粘着剤が表出する。
【００２４】
この粘着剤によって支持シート２０ａ，２０ｂを互いに貼着するとともに、支持シート２０ａ，２０ｂに形成された穴部２１〜２４の内部にコイン電池３１、ＩＣ基板３２、スイッチ３３及び音声情報出力部４０を配置、固定し、支持シート２０ａ，２０ｂと表面シート１０ａ，１０ｂとを貼着する。
【００２５】
以下に、上記のように構成された音声メッセージ伝達シートの作用について説明する。
【００２６】
図３は、図１及び図２に示した支持シート２０ａ，２０ｂと音声情報記録／再生部３０とを積層した状態を示す図であり、（ａ）は支持シート２０ｂと音声情報記録／再生部３０とを積層した状態を示す図、（ｂ）は支持シート２０ａと音声情報記録／再生部３０とを積層した状態を示す図である。また、図４は、図１及び図２に示した音声メッセージ伝達シートのコイン電池３１、ＩＣ基板３２及びスイッチ３３が配置された領域の断面図である。
【００２７】
図１及び図２に示した支持シート２０ｂは、上述したように、音声情報記録／再生部３０のコイン電池３１、ＩＣ基板３２、スイッチ３３及び音声情報出力部４０と対向する領域に、コイン電池３１と対向する領域と、ＩＣ基板３２と対向する領域と、スイッチ３３と対向する領域と、音声情報出力部４０と対向する領域とに渡って、コイン電池３１、ＩＣ基板３２、スイッチ３３及び音声情報出力部４０を内部に含むような大きさ及び形状を有する１つの穴部２１が設けられているため、図３（ａ）に示すように、図１及び図２に示した支持シート２０ｂと音声情報記録／再生部３０とが積層された場合、音声情報記録／再生部３０のコイン電池３１、ＩＣ基板３２、スイッチ３３及び音声情報出力部４０は、支持シート２０ｂの穴部２１に入り込むように配置され、固定されることになる。この際、ＩＣ基板３２と、コイン電池３１、スイッチ３３及びピエゾ素子４１とをそれぞれ接続しているリード線３４ａ〜３４ｃもこの穴部２１内に配置されることになる。
【００２８】
また、図１及び図２に示した支持シート２０ａは、上述したように、音声情報記録／再生部３０のコイン電池３１、ＩＣ基板３２及び音声情報出力部４０と対向する領域に、それぞれ、これらコイン電池３１、ＩＣ基板３２及び音声情報出力部４０を固定するための穴部２２〜２４が設けられているが、その大きさは、穴部２２がコイン電池３１よりも大きく、穴部２３がＩＣ基板３２よりも大きく、穴部２４が音声情報出力部４０よりも小さくなっている。そのため、図３（ｂ）に示すように、図１及び図２に示した支持シート２０ａと音声情報記録／再生部３０とが積層された場合、音声情報記録／再生部３０のコイン電池３１及びＩＣ基板３２は、支持シート２０ａの穴部２２，２３にそれぞれ入り込むように配置され、固定されることになる。また、音声情報出力部４０においては、穴部２４の周囲にて支持シート２０ａと当接し、支持シート２０ａの表面の粘着剤によって固定されることになる。
【００２９】
図１及び図２に示した支持シート２０ａ，２０ｂと音声情報記録／再生部３０とが積層されると、図４に示すように、スイッチ３３が配置された領域においては、支持シート２０ａ上にスイッチ３３が搭載され、このスイッチ３３及び支持シート２０ａが表面シート１０ａ，１０ｂに挟み込まれた状態となる。スイッチ３３は、支持シート２０ａの表面の粘着剤によって固定されるとともに、支持シート２０ｂの穴部２１によって固定される。ここで、スイッチ３３の厚さは支持シート２０ｂの厚さよりも薄いため、スイッチ３３が支持シート２０ａ上に搭載され、支持シート２０ｂの穴部２１に入り込んでいる場合、支持シート２０ａの支持シート２０ｂとの貼着面からスイッチ３３の操作面までの高さは、支持シート２０ａの支持シート２０ｂとの貼着面から支持シート２０ｂの表面シート１０ｂとの貼着面までの高さよりも低くなり、それにより、表面シート１０ｂの表面においては、スイッチ３３が配置された領域が他の領域よりも突出してしまうことがなくなる。
【００３０】
また、図４に示すように、ＩＣ基板３２が配置された領域においては、支持シート２０ａ，２０ｂにそれぞれ形成された穴部２３，２１にＩＣ基板３２が入り込み、穴部２３，２１に入り込んだＩＣ基板３２が表面シート１０ａ，１０ｂに挟み込まれた状態となる。ＩＣ基板３２は、支持シート２０ａ，２０ｂにそれぞれ形成された穴部２３，２１によって固定される。ここで、ＩＣ基板３２の厚さは、互いに貼着された支持シート２０ａ，２０ｂの厚さと略同一であるため、表面シート１０ａ，１０ｂと穴部２１，２３によって形成される空間の高さが、ＩＣ基板３２の厚さと略同一となり、それにより、表面シート１０ａ，１０ｂの表面においては、ＩＣ基板３２が配置された領域が他の領域よりも突出してしまうことがなくなる。
【００３１】
また、音声情報出力部４０が配置された領域においては、音声情報出力部４０の振動板４２の周縁部が穴部２４の周囲にて支持シート２０ａと貼着され、支持シート２０ｂの穴部２１によって固定され、この音声情報出力部４０が表面シート１０ａ，１０ｂに挟み込まれた状態となる。ここで、音声情報出力部４０を構成するピエゾ素子４１の厚さは支持シート２０ｂよりも薄く、振動板４２の厚さは支持シート２０ｂと略同一である。そのため、振動板４２の周縁部が支持シート２０ａに貼着され、音声情報出力部４０が支持シート２０ｂの穴部２１に入り込んでいる場合、支持シート２０ａの支持シート２０ｂとの貼着面から音声情報出力部４０の表面シート１０ｂと対向する側の面までの高さは、支持シート２０ａの支持シート２０ｂとの貼着面から支持シート２０ｂの表面シート１０ｂとの貼着面までの高さと略同一となり、それにより、表面シート１０ｂの表面においては、音声情報出力部４０が配置された領域が他の領域よりも突出してしまうことがなくなる。
【００３２】
また、ＩＣ基板３２と、コイン電池３１、スイッチ３３及びピエゾ素子４１とをそれぞれ接続しているリード線３４ａ〜３４ｃについては、支持シート２０ｂに形成された穴部２１内に収容される。このリード線３４ａ〜３４ｃが収容される領域は、支持シート２０ｂには穴部２１が形成されているが、支持シート２０ａには穴部が形成されていない。そのため、穴部２１に収容されたリード線３４ａ〜３４ｃは、支持シート２０ａの粘着剤によって固定される。また、リード線３４ａ〜３４ｃの径は支持シート２０ｂの厚さよりも小さいため、リード線３４ａ〜３４ｃが支持シート２０ａ上にて固定され、支持シート２０ｂの穴部２１に入り込んでいる場合、表面シート１０ｂの表面が、リード線３４ａ〜３４ｃの形状に沿って盛り上がってしまうことがなくなる。
【００３３】
また、図４に示すように、コイン電池３１が配置された領域においては、支持シート２０ａ，２０ｂにそれぞれ形成された穴部２２，２１にコイン電池３１が入り込み、穴部２２，２１に入り込んだコイン電池３１が表面シート１０ａ，１０ｂに挟み込まれた状態となる。コイン電池３１は、支持シート２０ａ，２０ｂにそれぞれ形成された穴部２２，２１によって固定される。コイン電池３１の厚さは、互いに貼着された支持シート２０ａ，２０ｂの厚さよりも厚い。そのため、表面シート１０ａ，１０ｂと穴部２１，２２によって形成される空間の高さが、コイン電池３１の厚さよりも低くなり、それにより、表面シート１０ｂの表面のうち、コイン電池３１が配置された領域が他の領域よりも突出することになる。ここで、本形態においては、支持シート２０ｂに形成された穴部２１のうちコイン電池３１の周囲の領域に剥離紙５０が残存することにより、この部分の支持シート２０ａ，２０ｂの厚さが、支持シート２０ａ，２０ｂの他の領域の厚さよりも厚くなる段差構造が形成されている。そのため、２枚の支持シート２０ａ，２０ｂが貼着されて表面シート１０ａ，１０ｂに挟み込まれた領域からコイン電池３１が配置された領域までの間に、この段差構造による厚さを有する領域が介在することになり、それにより、２枚の支持シート２０ａ，２０ｂが貼着されて表面シート１０ａ，１０ｂに挟み込まれた領域からコイン電池３１が配置された領域までの間の厚さが段階的に変化し、その傾斜がなだらかになる。
【００３４】
このように、２枚の支持シート２０ａ，２０ｂが貼着されて表面シート１０ａ，１０ｂに挟み込まれた領域からコイン電池３１が配置された領域までの間の厚さが段階的に変化し、その傾斜がなだらかになることにより、コイン電池３１の厚さによる表面シート１０ａ上の段差が目立つことがなくなるとともに、プリンタにて表面に情報を印字する際、段差部分がひっかかり印字不良が生じてしまう可能性を低減することができる。
【００３５】
また、この段差構造は、支持シート２０ｂ上に残存した剥離紙５０によって構成されることにより、非貼着加工が施されたものとなっている。そのため、この部分においては、表面シート１０ｂが支持シート２０ｂと貼着されず、表面シート１０ｂが段差構造に貼着されて階段状となることがなく、それにより、表面シート１０ｂの表面において段差構造による段差も目立つことがなく、表面シート１０ｂの表面がさらになだらかになる。
【００３６】
なお、本形態においては、支持シート２０ｂのうちコイン電池３１の周囲に剥離紙５０が残存することにより段差構造が設けられているが、本発明はこれに限らず、音声情報記録／再生部３０を構成する部品として、支持シート２０ａ，２０ｂの厚さよりも厚い部品を用いた場合にその部品の周囲に段差構造を設ければ同様の効果を得ることができる。
【００３７】
また、本形態においては、２枚の支持シート２０ａ，２０ｂを用いて音声情報記録／再生部３０を固定するものを例に挙げて説明したが、本発明はこれに限らず、１枚あるいは３枚以上の支持シートを用いて音声情報記録／再生部３０を固定するものであってもよい。
【図面の簡単な説明】
【００３８】
【図１】本発明の音声メッセージ伝達シートの実施の一形態を示す図であり、（ａ）は一方の面から見た図、（ｂ）は他方の面から見た図、（ｃ）は内部構造を示す図、（ｄ）は（ｂ）に示したＡ−Ａ’断面図である。
【図２】図１に示した音声メッセージ伝達シートの積層状態を示す図である。
【図３】図１及び図２に示した支持シートと音声情報記録／再生部とを積層した状態を示す図である。
【図４】図１及び図２に示した音声メッセージ伝達シートのコイン電池、ＩＣ基板及びスイッチが配置された領域の断面図である。
【図５】従来の音声メッセージカードの一構成例を示す図であり、（ａ）は内部構造を示す図、（ｂ）は（ａ）に示したＡ−Ａ’断面図である。
【符号の説明】
【００３９】
１０ａ，１０ｂ    表面シート
１１    宛先情報表示領域
１２    通知情報表示領域
１３    再生ボタン
１４    音声出力領域
２０ａ，２０ｂ    支持シート
２１〜２４    穴部
３０    音声情報記録／再生部
３１    コイン電池
３２    ＩＣ基板
３３    スイッチ
３４ａ〜３４ｃ    リード線
４０    音声情報出力部
４１    ピエゾ素子
４２    振動板
５０    剥離紙
【図１】
2008070436.tif 000003
【図２】
2008070436.tif 000004
【図３】
2008070436.tif 000005
【図４】
2008070436.tif 000006
【図５】
2008070436.tif 000007